(57)【特許請求の範囲】
【請求項１】
冷却器(12)および冷却器ファン(13)が設置される機械室(14)と冷蔵収納物が収納される冷却室(5)とを仕切部材(10)で画成し、前記冷却器ファン(13)の回転によって前記冷却室(5)と機械室(14)との間で冷気を循環させるよう構成した冷却貯蔵庫において、
前記仕切部材(10)における機械室(14)側の裏面に、該機械室(14)に吸い込まれた冷気を前記冷却器(12)に通過させるよう案内する通路を形成する補強板(10e,10f,17,17)が設けられている
ことを特徴とする冷却貯蔵庫。
【請求項２】
前記仕切部材(10)における冷却室(5)側の表面に、背部側から前側にのみ延びる突条(10g)が多数平行に突設されている請求項１記載の冷却貯蔵庫。
【請求項３】
前記仕切部材(10)の前側に隣接して設置され、前記冷却室(5)内側の冷気を前記機械室(14)内側に吸い込む冷気吸込口(11b)が形成されたダクト部材(11)における冷却室(5)側の表面に、前記仕切部材(10)の各突条(10g)に整列する突条(11e)が突設されている請求項２記載の冷却貯蔵庫。
【発明の詳細な説明】
【０００１】
【発明の属する技術分野】
本発明は、冷蔵収納物を冷却して貯蔵する冷却貯蔵庫に関するものである。
【０００２】
【従来の技術】
冷却器と冷却器ファンとが庫底に設置される冷却貯蔵庫(冷凍庫や冷蔵ショーケースを含む)では、冷蔵収納物を収納する冷却室と、冷凍装置を構成する冷却器や冷却器ファン等を設置する機械室とを仕切部材で画成し、冷却室内を循環した冷気を冷却器ファンが機械室内に吸い込み、冷却器のフィン間を通し冷却してから冷却室に吹き出す構造が採用されている。
【０００３】
従来の冷却貯蔵庫では、機械室に設置する冷却器や冷却器ファンを各種ステーやブラケットを用いて機械室内に固定し、その上に仕切部材を被せて機械室と冷却室とを画成している。
【０００４】
【発明が解決しようとする課題】
前述した従来の冷却貯蔵庫では、機械室内における冷気の循環構造については配慮がなかったため、機械室内を流れる冷気は前記冷凍装置を構成する各種機器を固定するためのブラケット等に当たって乱され、冷却効率が低下するという問題がある。また前記仕切部材は、冷蔵収納物の載置部としても利用されるが、この場合に収納物の底面側には冷気が流れず、冷却効率が低下する欠点が指摘される。なお、仕切部材の上に棚網を配設することで、冷気が流通する通路を画成することはできるが、その場合には部品点数が増えてコストが嵩む難点を招く。
【０００５】
【発明の目的】
本発明は、従来の技術に内在している前記欠点に鑑み、これを好適に解決するべく提案されたものであって、機械室での冷気の効率的な冷却を達成し、併せて冷却室下部での冷気の円滑な流れを形成して冷蔵収納物の冷却効率を向上し得る冷却貯蔵庫を提供することを目的とする。
【０００６】
【課題を解決するための手段】
前記課題を解決し、所期の目的を達成するため、本発明に係る冷却貯蔵庫は、
冷却器および冷却器ファンが設置される機械室と冷蔵収納物が収納される冷却室とを仕切部材で画成し、前記冷却器ファンの回転によって前記冷却室と機械室との間で冷気を循環させるよう構成した冷却貯蔵庫において、
前記仕切部材における機械室側の裏面に、該機械室に吸い込まれた冷気を前記冷却器に通過させるよう案内する通路を形成する補強板が設けられていることを特徴とする。
【０００７】
【発明の実施の形態】
次に、本発明に係る冷却貯蔵庫につき、好適な実施例を挙げて、添付図面を参照しながら以下説明する。
【０００８】
図１は、本発明の一実施形態に係る冷蔵ショーケースの正面図である。この冷蔵ショーケース１の冷却室前部開口は、左右に夫々スライドされる２枚の扉２ａ,２ｂで開閉可能に閉成されるようになっており、これら扉２ａ,２ｂは冷却室前部下縁部分に沿って設けられたレール部材３上にスライド可能に載置されている。
【０００９】
図２は、図１のＡ―Ａ線断面図であり、庫内冷却室の床部分の平面図でもある。冷蔵ショーケース１の冷却室５を画成する内装６と外装７との間には断熱発泡材８が充填されており、冷却室５は外気の熱と遮断されている。冷却室５の前部開口は扉２ａ,２ｂで開閉可能に閉成され、冷却室５の床には、仕切部材１０と、この仕切部材１０の前側(扉２ａ,２ｂ側)に隣接して配置されたダクト部材１１とが設置されている。仕切部材１０の下側(冷蔵ショーケース１の底側)には、当該仕切部材１０によって機械室１４が画成される。
【００１０】
図３は、図１のＢ―Ｂ線断面図であり、冷却室５と機械室１４の境目部分の断面図である。前記仕切部材１０によって冷却室５から画成された機械室１４内には、冷却器１２や冷却器ファン１３等からなる冷凍装置が設置され、冷却器ファン１３が回転駆動されることで、冷却室５内の冷気は、ダクト部材１１の上板１１ａに多数形成された冷気吸込口１１ｂ(図２)から上板１１ａ下部のダクト室１５内に吸い込まれ、更に冷却器１２のフィン間を通って冷却された後、仕切部材１０における上板１０ａの背部に設けられた冷気吹出口１０ｂから冷却室５内に戻されるよう循環する。
【００１１】
前記冷却器１２は、図３に示す如く、内装６の底面に設けられた凹部６ａにその下端部１２ａが嵌め込まれると共に、上端面１２ｂが、前記仕切部材１０の裏面側に垂設された補強を兼ねる複数の押え板１０ｃによって庫底側に押えられる構成となっている。また、仕切部材１０の背部に形成された冷気吹出口１０ｂを構成する枠体１０ｄが、内装６背部に設けられて冷却室５内に突出する突部６ｂの下面と係合し、枠体１０ｄが突部６ｂより上方に移動しないよう突部６ｂによって押えられるよう構成される。なお、図３で符号１６は、ドレン孔である。
【００１２】
図４は、仕切部材１０の平面図であり、図５は、図４のＣ―Ｃ線断面図であり、図７(ａ)は図４の矢印Ｄ方向から見た仕切部材１０の左側面図である。仕切部材１０は、上板１０ａと、この上板１０ａに一体に連設されて前側(冷蔵ショーケース１の扉２ａ,２ｂ側)で下方に屈曲して幅方向に延在する前板１０ｅと、この前板１０ｅと平行に上板１０ａの中間位置から下方に垂下する中板１０ｆとを備え、上板１０ａの背部には、冷気吹出口１０ｂが設けられている。なお、前板１０ｅおよび中板１０ｆは、仕切部材１０の強度を向上するための補強板として機能すると共に、後述する冷気の通路を画成する画成部材としても機能するようになっている。
【００１３】
前記上板１０ａは、開口のない一枚板で構成され、その表面(上面)には、背部側から前側に延びる幾条もの突条１０ｇが幅方向に離間して平行に突設され、隣り合う突条１０ｇ,１０ｇ間に冷気が流れる通路が画成されるようになっている。また前記前板１０ｅには、図３に示すダクト室１５内の冷気を吸い込む吸込口１０ｈが多数穿設されたダクト部が設けられており、図３に示す冷却器１２と冷却器ファン１３本体は、上板１０ａ下部の前板１０ｅと中板１０ｆの間に配置されるようになっている。なお、吸込口１０ｈが設けられる前板１０ｅのダクト部上縁には、図４および図７(ａ)に示す如く、嵌合溝１０ｉが横方向に成形されている。また、前板１０ｅの下端と中板１０ｆの下端には夫々フランジ１０ｊ,１０ｋが成形されており、これらフランジ１０ｊ,１０ｋが冷蔵ショーケース１の内装６底面に接するように、当該仕切部材１０が冷蔵ショーケース１内に設置され、前側のフランジ１０ｊのネジ孔１０ｍを介して庫内内装６にネジ止めされるよう構成してある。
【００１４】
図８は、仕切部材の底面図であり、該仕切部材１０の底面側には、図３を参照して説明したように、冷却器１２を上方から押える複数の押え板１０ｃが庫底側に延出形成されており、この押え板１０ｃが冷却器１２を庫内内装底面との間に挟持する構造になっている。また、前記中板１０ｆには嵌合孔１０ｎが設けられており、この嵌合孔１０ｎに冷却器ファン１３の本体(ファンの外周枠)１３ａ(図３参照)が着脱可能に嵌合されて位置決め保持されるようになっている。更に、仕切部材１０の底面側には、前記冷却器１２の幅方向両端と対応する位置に、前板１０ｅと中板１０ｆとの間に亘って補強板としても機能する前後方向に延在する縦仕切板１７,１７が庫底側に延出形成されて、両縦仕切板１７,１７の下端が冷却器１２の幅方向両端上面に接するよう構成される。すなわち、前板１０ｅ、中板１０ｆおよび両縦仕切板１７,１７によって、吸込口１０ｈから吸い込んだ全ての冷気を冷却器１２のフィン間に案内する通路を画成し、該冷却器１２による効率的な冷却を行ない得るようになっている。また冷却器１２の前後方向両端と対応する位置に、両縦仕切板１７,１７の間に亘って補強板としても機能する幅方向に延在する横仕切板１８,１８が庫底側に延出形成されて、両横仕切板１８,１８の下端が冷却器１２の前後でその上面から僅かに垂下している(図３参照)。そして、縦横の仕切板１７,１７,１８,１８により、吸込口１０ｈから吸い込んだ冷気が冷却器１２の上部を前側から背側に流れるのを防止するよう構成される。
【００１５】
図６は、ダクト部材１１の平面図であり、図７(ｂ)は図６の矢印Ｅ方向から見たダクト部材１１の左側面図である。このダクト部材１１は、上板１１ａと、この上板１１ａに一体に連設されて前側(冷蔵ショーケース１の扉２ａ,２ｂ側)で下方向に屈曲する前板１１ｃと、背部側で下方向に屈曲する後板１１ｄとを備える。この上板１１ａには、実施例では２列に配列された多数の冷気吸込口１１ｂが設けられており、隣接する冷気吸込口１１ｂ,１１ｂ間には、仕切部材１０の上板１０ａに設けられた突条１０ｇに整列する突条１１ｅが設けられている。
【００１６】
前記ダクト部材１１は、後板１１ｄの下端縁が、図７(ａ)に示す仕切部材１０の前記嵌合溝１０ｉに着脱可能に装着されると共に、前板１１ｃの下端縁が、扉２ａ,２ｂがスライド可能に載置される前記レール部材３に一体成形された嵌合溝３ａ(図３参照)に着脱可能に装着されるようになっている。
【００１７】
【実施例の作用】
次に、前述した本実施形態に係る冷蔵ショーケースの作用につき以下説明する。前記冷蔵ショーケース１を組立てる場合、先ず、前記仕切部材１０の中板１０ｆの嵌合孔１０ｎに冷却器ファン１３を取り付ける(図３参照)。そして、庫内内装６の凹部６ａに冷却器１２の下端部１２ａを嵌め込み、冷却器１２の上に仕切部材１０を被せる。このとき、仕切部材１０の最奥部の枠体１０ｄ上端が庫内背部の突部６ｂ下面に当接するようにし、仕切部材１０の裏面の押え板１０ｃの先端面が冷却器１２の上端面１２ｂを押えるように整合させ、仕切部材１０の前板１０ｅを庫底に下ろしてフランジ１０ｊを庫底内装６に接触させ、ネジ孔１０ｍを介して庫底にネジ止めする。これにより、冷却器１２と冷却器ファン１３が機械室１４内に設置され、仕切部材１０も庫内に固定される。この場合に、仕切部材１０の後端部を枠体１０ｄと突部６ｂとの係合により位置決めするから、該仕切部材１０を庫内に固定するためのネジ等の固定部材を最小限とすることができ、部品点数を低減し得ると共に組立ても容易となる。
【００１８】
次に、前記ダクト部材１１の後板１１ｄを仕切部材１０の嵌合溝１０ｉ内に装着し、ダクト部材１１の前板１１ｃをレール部材３の嵌合溝３ａ内に装着する。これにより、ダクト部材１１は、その上板１１ａが仕切部材１０の上板１０ａと同一レベルになり、ダクト部材１１と仕切部材１０の各々の突条１１ｅ,１０ｇは整列され、庫内底側の組立てが終了する。
【００１９】
前記冷却器ファン１３が回転を始めると、冷気は冷気吹出口１０ｂから冷却室５内に吹き出され、冷却室５内を循環する。前記仕切部材１０やダクト部材１１に冷蔵収納物が載置されるが、両部材１０,１１の表面には複数の突条１０ｇ,１１ｅが突設されているから、冷蔵収納物の底面側には、隣り合う突条１０ｇ,１０ｇまたは突条１１ｅ,１１ｅ間に冷気の通路が確保される。従って、仕切部材１０の上板１０ａ近傍の冷気は、前記突条１０ｇ,１０ｇ間の隙間(冷気の通路)に沿って流れた後に、同じく突条１１ｅ,１１ｅ間の隙間(冷気の通路)に沿って流れ、冷気吸込口１１ｂからダクト室１５内に吸い込まれる。これにより、冷気が仕切部材１０、ダクト部材１１の夫々の上板１０ａ,１１ａに載置された冷蔵収納物の底面を効率的に流れ、該収納物の底面が冷却不足となることはない。
【００２０】
前記ダクト室１５内に吸い込まれた冷気は、前記仕切部材１０の吸込口１０ｈから冷却器１２側に流入する。この場合に、冷却器１２および冷却器ファン１３は、仕切部材１０の前板１０ｅ、中板１０ｆおよび両縦仕切板１７,１７により画成される通路に臨んでいるから、全ての冷気が冷却器１２のフィン間を通り抜けて効率的な冷却が達成される。なお、前記横仕切板１８,１８により、冷却器１２の上部を冷気が流れるのも防止される。また、仕切部材１０は、強度向上のための補強板を兼用するから、冷気の通路を別の部品により画成する必要はなく、部品点数を低減することができる。更に、庫内に対して簡単に着脱可能な仕切部材１０に冷却器ファン１３が配設されているから、該ファン１３の交換等のメンテナンスも簡単に行なうことができる。
【００２１】
前記仕切部材１０とダクト部材１１に設けた突条１０ｇ,１１ｅには、冷気通路を画成する機能の他に、次のような効果も奏する。先ず、仕切部材１０、ダクト部材１１の上板１０ａ,１１ａを薄くしても、突条１０ｇ,１１ｅが補強部材として機能するため、重い物を載せても大丈夫となる。また、強度的に強くなり衝撃にも耐える構造になるため、他の棚網などの部材を緩衝材として仕切部材１０上に載せる必要もなくなる。更に、冷蔵収納物が突条１０ｇ,１１ｅに沿って滑りやすくなるため、冷蔵収納品の庫内への収納が容易となり、また、固い冷蔵収納物が擦れることで生じる傷なども目立たなくなり、成形時のひけ跡も目立たなくなる。更にまた、仕切部材１０の突条１０ｇとダクト部材１１の突条１１ｅとが整列するため、清掃が楽になる。なお、瓶などの小物を載せるとき突条１０ｇ,１１ｅが原因で倒れるおそれがあるが、それは突条１０ｇ,１１ｅのピッチを細かくすることで容易に対処可能である。
【００２２】
また、前記ダクト部材１１の突条１１ｅに関しては、前記上板１１ａに設けられる冷気吸込口１１ｂが冷蔵収納物で完全に閉塞されるのを防止し、冷気の循環に支障を来たすのを防止するよう機能する。
【００２３】
【発明の効果】
以上に述べた如く、本発明に係る冷却貯蔵庫によれば、仕切部材に形成した補強板により冷気通路を画成し、機械室に吸い込まれた冷気を冷却器に通過させるようにすることで、部品点数が増えたりコストを上げることなく冷却効率を向上させることができる。
【００２４】
また、仕切部材やダクト部材の表面に突条を突設することで、表面に冷蔵収納物が載置されても、突条間の隙間を冷気が流れるため、該収納物の底側の冷却も可能となる。更に、突条は仕切部材やダクト部材の補強材としても機能するので、瓶などが置かれたときの衝撃に耐えることができると共に、冷蔵収納物との摩擦が小さくなって収納物の庫内への収納も楽になる。更にまた、突条が存在することで、瓶など固い冷蔵収納物を出し入れしてできる傷や、成形時のひけ跡等も目立たなくなる。なお、突条は仕切部材とダクト部材に跨って整列されているから、表面の清掃も楽にできる。
【図面の簡単な説明】
【図１】  本発明の一実施形態に係る冷蔵ショーケースの正面図である。
【図２】  図１のＡ―Ａ線断面図である。
【図３】  図１のＢ―Ｂ線断面図である。
【図４】  図２に示す仕切部材の平面図である。
【図５】  図４のＣ―Ｃ線断面図である。
【図６】  図２に示すダクト部材の平面図である。
【図７】  (ａ)は仕切部材の左側面図であり、(ｂ)はダクト部材の左側面図である。
【図８】  図２に示す仕切部材の底面図である。
【符号の説明】
５ 冷却室，１０ 仕切部材，１０ｅ 前板(補強板)，１０ｆ 中板(補強板)
１０ｇ 突条，１１ ダクト部材，１１ｂ 冷気吸込口，１１ｅ 突条
１２ 冷却器，１３ 冷却器ファン，１４ 機械室，１７ 縦仕切板(補強板)
【図１】
0004518692.tif 000002
【図２】
0004518692.tif 000003
【図３】
0004518692.tif 000004
【図４】
0004518692.tif 000005
【図５】
0004518692.tif 000006
【図６】
0004518692.tif 000007
【図７】
0004518692.tif 000008
【図８】
0004518692.tif 000009